(57)【要約】【課題】複数のデッキ材の長手方向における対向端部の間の目地を隙間なく安定して塞ぐことができ、デッキ材の複数の中空部からの排水経路を確保できる目地塞ぎ材およびデッキを提供すること。【解決手段】目地塞ぎ材４は、複数のデッキ材２の対向端部間に配置される弾性変形可能な塞ぎ材本体部４１と、間隔維持部としての被取付部４４，４５および突出部４６とを有している。塞ぎ材本体部４１は、二つのデッキ材２の互いに対向する対向端部の上部を塞ぐ。被取付部４４，４５および突出部４６は、各中空部の開口端部のうち塞ぎ材本体部４１の下方に位置する領域が開放されるように大引５と塞ぎ材本体部４１との間隔を維持して、デッキ材２の各中空部同士を連通可能にする。【選択図】図１
2015140529.tif 000002
【特許請求の範囲】
【請求項１】
長手方向に延び幅方向に複数形成された中空部を有する少なくとも二つのデッキ材の互いに対向する対向端部を共通の横材に載置して、前記長手方向に連続して敷設した前記二つのデッキ材の対向端部間に形成される目地を塞ぐ目地塞ぎ材であって、
前記目地塞ぎ材は、
前記二つのデッキ材の対向端部間に配置され、前記二つのデッキ材の対向端部の上部を塞ぐ弾性変形可能な塞ぎ材本体部と、
前記各中空部の開口端部のうち前記塞ぎ材本体部の下方に位置する領域が開放されるように前記横材と前記塞ぎ材本体部との間隔を維持して、前記デッキ材の各中空部同士を連通可能にする間隔維持部とを有していることを特徴とする目地塞ぎ材。
【請求項２】
請求項１に記載の目地塞ぎ材において、
少なくとも前記塞ぎ材本体部は、独立気泡を有する発泡体によって構成されることを特徴とする目地塞ぎ材。
【請求項３】
請求項１または請求項２に記載の目地塞ぎ材において、
前記間隔維持部は、前記塞ぎ材本体部の前記幅方向の端部に設けられ、前記横材上に前記デッキ材を固定する取付具に係合する被取付部を有していることを特徴とする目地塞ぎ材。
【請求項４】
請求項１から請求項３のいずれかに記載の目地塞ぎ材において、
前記間隔維持部は、前記複数の中空部の少なくともいずれか一つと対向し、かつ対向する前記中空部の幅方向の両端側が開放されるように、当該中空部の幅方向の中間位置のみに配置され、前記横材に当接する位置まで前記塞ぎ材本体部から下方に突出しているとともに、前記幅方向の幅寸法が前記中空部の幅寸法よりも小さい突出部を有していることを特徴とする目地塞ぎ材。
【請求項５】
複数の束柱上に架け渡される複数の横材と、前記複数の横材上に配置されるとともに、長手方向に延び幅方向に複数形成された中空部を有する複数のデッキ材と、前記複数のデッキ材を前記複数の横材に取り付ける取付具と、前記長手方向に連続して敷設した前記複数のデッキ材の互いに対向する対向端部間に形成される目地を塞ぐ請求項１から請求項４のいずれかに記載の目地塞ぎ材とを備え、前記塞ぎ材本体部と前記横材との間には、前記複数の中空部を互いに連通させる排水経路が形成されることを特徴とするデッキ。
【請求項６】
請求項５に記載のデッキにおいて、
前記排水経路は、前記複数の中空部を連通させる連通路と、前記連通路を流れる水を外部に排水する排水路とによって構成され、前記連通路は、前記塞ぎ材本体部の下方に位置するとともに、前記デッキ材の前記幅方向において前記複数の中空部を跨いで配置され、前記排水路は、前記目地塞ぎ材の前記幅方向における少なくとも一方の端部の下方に位置することを特徴とするデッキ。
【請求項７】
請求項５または請求項６に記載のデッキにおいて、
前記目地塞ぎ材の高さ寸法は、前記目地塞ぎ材が前記目地に設置された際に、前記塞ぎ材本体部の上面が前記デッキ材の上面よりも下方に位置することを特徴とするデッキ。
【発明の詳細な説明】
【技術分野】
【０００１】
本発明は、デッキを構成する複数のデッキ材の長手方向（長さ方向）における対向端部の間の目地を塞ぐ目地塞ぎ材およびデッキに関する。
【背景技術】
【０００２】
従来、庭、バルコニー等に設置されるデッキが知られている。このデッキは、束柱上に架け渡された大引の上に複数のデッキ材が並設されることによって構成される。複数のデッキ材は互いに離間して設置され、これらの間には目地が形成されている。この目地が形成されていると、複数のデッキ材の熱伸縮等の変形は許容されるため、複数のデッキ材の端部同士がぶつかって上方に迫り上がることや、デッキ全体が一体物と同じ状態となってデッキ寸法が大きく変更することなどの問題は生じない。また、複数のデッキ材の間の目地に砂、砂利等の異物が入り込む場合があるが、目地に入った異物がそのまま下方に抜け落ちていけば目詰まりを生じることはない。
【０００３】
ところで、複数のデッキ材の長手方向における対向端部が大引の上に配置されている場合、これらの対向端部の間の目地の下方は大引によって塞がれるため、目地に入った異物が抜け落ちずに目詰まりを生じてしまう可能性がある。目詰まりが生じると、デッキ材が熱で伸長した場合にデッキ材が上方に迫り上がったり、デッキに近接する建物の壁を傷つけるといった問題が生じる可能性がある。
【０００４】
ここで、例えば特許文献１には、目地を塞ぐための部材（連結部材）が記載されており、これによれば、前述した目詰まりの発生を減少できる。特許文献１には、二個の脚片の上端部が接続片で連結された逆Ｕ字状の接続部と、この接続部の脚片の外面から突出され、デッキ材の中空部に挿入されて接続部をデッキ材に連結する連結部とを備え、複数のデッキ材の間に配置される連結部材が記載されている。この連結部材は、複数のデッキ材の長手方向の伸縮変形に応じて、二個の脚片が接近および離間するような接続部の変形を生じる。
【先行技術文献】
【特許文献】
【０００５】
【特許文献１】特開２００８−２１６４号公報
【発明の概要】
【発明が解決しようとする課題】
【０００６】
ところで、特許文献１に記載の部材は、複数のデッキ材の長手方向の伸縮変形に応じて、その全体に同様の変形を生じるのではなく、その逆Ｕ字状の接続部に湾曲変形を生じる。このため、特許文献１に記載の部材では、目地に隙間が部分的に生じる場合があり、目地を安定的に塞ぐことが難しい。また、特許文献１に記載の部材は、その逆Ｕ字状の部分に囲まれる空間に異物が詰まると変形が阻害されてしまう。
【０００７】
また、特許文献１に記載の部材では、複数のデッキ材の長手方向における対向端部の開口が接続部の脚片および連結部によって塞がれるため、デッキ材の複数の中空部に入り込んだ水の排水が困難である。この排水は、前述した対向端部の間の目地の下に大引が配置されている場合にはさらに困難となる。
【０００８】
本発明の目的は、複数のデッキ材の長手方向における対向端部間の目地を隙間なく安定して塞ぐことができ、デッキ材の複数の中空部からの排水経路を確保できる目地塞ぎ材およびデッキを提供することにある。
【課題を解決するための手段】
【０００９】
本発明の目地塞ぎ材は、長手方向に延び幅方向に複数形成された中空部を有する少なくとも二つのデッキ材の互いに対向する対向端部を共通の横材に載置して、前記長手方向に連続して敷設した前記二つのデッキ材の対向端部間に形成される目地を塞ぐ目地塞ぎ材であって、前記目地塞ぎ材は、前記二つのデッキ材の対向端部間に配置され、前記二つのデッキ材の対向端部の上部を塞ぐ弾性変形可能な塞ぎ材本体部と、前記各中空部の開口端部のうち前記塞ぎ材本体部の下方に位置する領域が開放されるように前記横材と前記塞ぎ材本体部との間隔を維持して、前記デッキ材の各中空部同士を連通可能にする間隔維持部とを有していることを特徴とする。
【００１０】
この本発明によれば、塞ぎ材本体部は弾性変形可能に構成されている。このため、塞ぎ材本体部を目地に圧縮して配置することで、目地を隙間なく塞ぐことができる。また、複数のデッキ材の伸縮変形により目地の幅が変化しても、目地塞ぎ材の全体が均等に圧縮・復元変形することで、目地を隙間なく安定して塞ぎつづけることができる。つまり、複数のデッキ材に長手方向の伸び変形が生じても、この変形に応じて、塞ぎ材本体部が弾性的に圧縮変形される一方、複数のデッキ材に長手方向の縮み変形が生じても、この変形に応じて、塞ぎ材本体部が弾性的に復元変形されるので、目地を隙間なく安定して塞ぎつづけることができる。
さらに、間隔維持部により横材と塞ぎ材本体部との間隔を維持し、デッキ材の各中空部同士を連通状態にするため、デッキ材の各中空部の開口端部の全てを閉塞してしまうことなく、横材と塞ぎ材本体部との間にデッキ材の複数の中空部からの排水経路を確保できる。
【００１１】
本発明の目地塞ぎ材では、少なくとも前記塞ぎ材本体部は、独立気泡を有する発泡体によって構成されることが好ましい。
この本発明によれば、塞ぎ材本体部を構成する発泡体の独立気泡に水が浸入することがないため、低温時に水が凍結して塞ぎ材本体部の弾性が失われることを防止できる。また、水の凍結によって塞ぎ材本体部が膨張することもないため、この膨張により複数の中空部が閉塞されることを防止できる。
ここで、前記発泡体は、エチレンプロピレンジエンゴムまたはクロロプレンゴムを発泡させたもので構成されることが好ましい。このような構成によれば、塞ぎ材本体部が適切な固さおよび弾性を発揮でき、型崩れを起こすことなく、目地を隙間なく安定して塞ぐことができる。
【００１２】
本発明の目地塞ぎ材では、前記間隔維持部は、前記塞ぎ材本体部の前記幅方向の端部に設けられ、前記横材上に前記デッキ材を固定する取付具に係合する被取付部を有していることが好ましい。
この本発明によれば、間隔維持部を構成する被取付部の取付具への係合により横材と塞ぎ材本体部との間隔を維持でき、複数の中空部からの排水経路を確保できる。また、被取付部は、塞ぎ材本体部の下方ではなく、前記幅方向の端部に設けられるため、デッキ材の各中空部の開口端部のうち塞ぎ材本体部の下方に位置する領域の全てを開放できる。
前記目地塞ぎ材の被取付部は、例えば、取付具の水平方向に延びた係合片に係合される水平方向に延びた係合スリットによって構成できる。このように、目地塞ぎ材の被取付部を取付具に取り付けることで、目地塞ぎ材をデッキ材の高さ方向に対し不動な状態にできれば、目地塞ぎ材の目地からの突出や脱落を防止できる。さらに、デッキの施工の際、目地塞ぎ材を水平方向に移動させることで、被取付部の係合スリットを取付具の係合片に簡単に係合させることができる。
【００１３】
本発明の目地塞ぎ材では、前記間隔維持部は、前記複数の中空部の少なくともいずれか一つと対向し、かつ対向する前記中空部の幅方向の両端側が開放されるように、当該中空部の幅方向の中間位置のみに配置され、前記横材に当接する位置まで前記塞ぎ材本体部から下方に突出しているとともに、前記幅方向の幅寸法が前記中空部の幅寸法よりも小さい突出部を有していることが好ましい。
この本発明によれば、突出部の横材への当接により塞ぎ材本体部を支えることで、横材と塞ぎ材本体部との間隔を維持できる。また、突出部がデッキ材の中空部の中間位置のみに配置されるため、デッキ材の中空部の幅方向の両端側を開放状態にでき、隣り合う中空部を隣り合う突出部間の空間で連通できる。従って、複数の中空部は隣り合う突出部間の空間によって順次連通され、複数の中空部からの排水経路を確保できる。
また、塞ぎ材本体部の自重や人等がデッキ上を通る際のデッキ材の撓みに起因して塞ぎ材本体部が撓められようとしても、突出部により塞ぎ材本体部を支えてその所定形状を維持できる。
【００１４】
本発明のデッキは、複数の束柱上に架け渡される複数の横材と、前記複数の横材上に配置されるとともに、長手方向に延び幅方向に複数形成された中空部を有する複数のデッキ材と、前記複数のデッキ材を前記複数の横材に取り付ける取付具と、前記長手方向に連続して敷設した前記複数のデッキ材の互いに対向する対向端部間に形成される目地を塞ぐ前述した本発明の目地塞ぎ材とを備え、前記塞ぎ材本体部と前記横材との間には、前記複数の中空部を互いに連通させる排水経路が形成されることを特徴とする。
この本発明によれば、前述した目地塞ぎ材を備えるため、本発明の目地塞ぎ材と同様の作用効果を発揮できる。
【００１５】
本発明のデッキでは、前記排水経路は、前記複数の中空部を連通させる連通路と、前記連通路を流れる水を外部に排水する排水路とによって構成され、前記連通路は、前記塞ぎ材本体部の下方に位置するとともに、前記デッキ材の前記幅方向において前記複数の中空部を跨いで配置され、前記排水路は、前記目地塞ぎ材の前記幅方向における少なくとも一方の端部の下方に位置することが好ましい。
この本発明によれば、連通路により複数の中空部が連通されるため、複数の中空部のうちのいずれかが閉塞されることを防止できるので、排水不能な箇所をなくすことができる。また、デッキ材の長手方向における対向端部の間の目地は、各デッキ材の対向端部と横材とに囲まれているため、下方への排水は横材に阻まれてほとんどできない。しかし、本発明によれば、排水路が塞ぎ材本体部の幅方向における少なくとも一方の端部に位置するため、複数の中空部から連通路を流れる水を前述した少なくとも一方の端部側から外部に排水できる。
【００１６】
本発明のデッキでは、前記目地塞ぎ材の高さ寸法は、前記目地塞ぎ材が前記目地に設置された際に、前記塞ぎ材本体部の上面が前記デッキ材の上面よりも下方に位置することが好ましい。
この本発明によれば、塞ぎ材本体部の上面がデッキ材の上面よりも下方に位置するため、目地塞ぎ材がデッキ材がその厚さ方向に圧縮されて周囲に膨出した状態でも、塞ぎ材本体部の上面がデッキ材の上面から突出することを防止できる。従って、デッキ上の歩行者が目地塞ぎ材につまずくことがない。
ここで、目地塞ぎ材の高さ寸法は、例えば、使用上限温度下におけるデッキ材の最大伸長時に目地塞ぎ材がその厚さ方向に最大限圧縮され、周囲に膨出した状態でも、塞ぎ材本体部の上面がデッキ材の上面から突出しない程度に設定されると、いかなる条件下でも前述した突出を防止できる。
また、目地塞ぎ材の高さ寸法は、前述した程度に設定されていれば十分であり、この程度を超えて、前記塞ぎ材本体部の上面が前記デッキ材の上面よりも過度に下方に位置するように設定する必要は無い。逆に、目地塞ぎ材の高さ寸法が、過度に下方に位置するように設定されると、塞ぎ材本体部の上面と複数のデッキ材の対向端部の間の空間に異物が詰まる可能性が生じるため、このような設定は行われない。
【発明の効果】
【００１７】
本発明によれば、複数のデッキ材の長手方向における対向端部間の目地を隙間なく安定して塞ぐことができ、デッキ材の複数の中空部からの排水経路を確保できる目地塞ぎ材およびデッキを提供できる。
【図面の簡単な説明】
【００１８】
【図１】本発明の実施形態に係るデッキの要部を示す斜視図。
【図２】前記デッキの要部を展開して示す斜視図。
【図３】前記デッキのデッキ材および目地塞ぎ材を示す説明図。
【図４】前記デッキの目地塞ぎ材を示す平面図。
【図５】前記デッキの目地塞ぎ材を示す底面図。
【図６】前記デッキの目地塞ぎ材を示す側面図。
【図７】前記デッキの施工手順に関する説明図。
【図８】前記デッキの施工手順に関する説明図。
【図９】前記デッキの施工手順に関する説明図。
【発明を実施するための形態】
【００１９】
［実施形態の構成］
以下、本発明の一実施形態を図面に基づいて説明する。
図１は、本実施形態に係るデッキ１の要部を示す斜視図である。図２は、デッキ１の要部を展開して示す斜視図である。図２は、デッキ１を構成する目地塞ぎ材４を示す側面図である。図３は、デッキ１のデッキ材２および目地塞ぎ材４を示す説明図（正面図）である。図４は、目地塞ぎ材４を示す平面図である。図５は、目地塞ぎ材４を示す底面図である。図６は、目地塞ぎ材４を示す側面図である。図７〜図９は、前記デッキ１の施工手順に関する説明図である。矢印Ｘ，Ｙ，Ｚは互いに直交する方向を示している。デッキ材２の長手方向はＸ方向であり、デッキ材２の幅方向はＹ方向であり、デッキ材２の高さ方向はＺ方向である。また、目地塞ぎ材４の厚み方向はＸ方向であり、目地塞ぎ材４の幅方向はＹ方向であり、目地塞ぎ材４の高さ方向はＺ方向である。
【００２０】
図１、図２において、デッキ１は、水平方向に並設された複数のデッキ材２と、デッキ材２の幅方向（Ｙ方向）に延びた目地３（図７〜図９参照）を塞ぐ複数の目地塞ぎ材４と、複数のデッキ材２および複数の目地塞ぎ材４が配置される横材としての大引５と、複数のデッキ材２および複数の目地塞ぎ材４を大引５上に固定する取付具６とを備える。また、デッキ１は、束基礎（図示省略）と、この束基礎に立設されるアルミ製の押出形材である複数の束柱（図示省略）とをさらに備える。目地３は、複数のデッキ材２の長手方向（Ｘ方向）における対向端部２０，２１の間に形成されている。大引５は、アルミ製の押出形材であり、複数の束柱間に当該大引５の長手方向（Ｙ方向）に延びて架け渡されており、複数のデッキ材２および目地塞ぎ材４の下方に位置する。
【００２１】
複数のデッキ材２は、それぞれ同一形状であり、Ｘ，Ｙ方向に並設されている。複数のデッキ材２は、木粉を含有した合成樹脂製の押出形材である。図２、図３において、デッキ材２は、平面視矩形状であり、上下方向（Ｚ方向）において互いに対向して配されたデッキ上板部２２およびデッキ下板部２３と、デッキ上板部２２およびデッキ下板部２３の幅方向における両端部を連結する一対のデッキ側板部２４，２５とを備える。
デッキ上板部２２とデッキ下板部２３とは、その両端部間においてデッキ材２の長手方向に沿って延びた複数の仕切り壁部２６によって連結されている。デッキ上板部２２とデッキ下板部２３との間の空間は仕切り壁部２６によって仕切られることで、デッキ材２の幅方向に並んで配置され、デッキ材２の長手方向に延びた複数（本実施形態では七個）の中空部２７が形成されている。
【００２２】
デッキ側板部２４はデッキ材２の張始め側に配置される。デッキ側板部２４は、デッキ上板部２２に連続する側板上部２４１と、側板上部２４１の下側に形成されているとともに取付具６に係合する係合凹部を形成する係合凹部形成部２４２と、係合凹部形成部２４２の下側に形成されているとともにデッキ下板部２３に連続する側板下部２４３とによって構成されている。
側板上部２４１には、上下方向で互いに対向しているとともにデッキ材２の幅方向外側にそれぞれ延出した一対の延出片部２４１Ａ，２４１Ｂが形成されており、延出片部２４１Ａ，２４１Ｂの間には凹部が形成されている。係合凹部形成部２４２は、側板上部２４１および側板下部２４３よりもデッキ材２の幅方向内側に向かって凹んで形成されている。
【００２３】
デッキ側板部２５はデッキ材２の張終り側に配置される。デッキ側板部２５は、デッキ上板部２２に連続する側板上部２５１と、側板上部２５１の下側に形成されているとともに取付具６に係合する係合凹部を形成する係合凹部形成部２５２と、係合凹部形成部２５２の下側に形成されているとともにデッキ下板部２３に連続する側板下部２５３とによって構成されている。
側板下部２５３には、上下方向で互いに対向しているとともにデッキ材２の幅方向外側にそれぞれ延出した一対の延出片部２５３Ａ，２５３Ｂが形成されており、延出片部２５３Ａ，２５３Ｂの間には凹部が形成されている。係合凹部形成部２５２は、側板上部２５１および側板下部２５３よりもデッキ材２の幅方向内側に向かって凹んで形成されている。
【００２４】
図１、図２において、大引５は、断面略四角筒状に形成されている。大引５は、デッキ材２の下面２Ｂおよび目地塞ぎ材４に当接する大引上板部５１と、大引下板部５２と、大引上板部５１および大引下板部５２を連結している一対の大引側板部５３，５４とによって構成されている。大引側板部５３，５４の下部には大引下板部５２よりも下方に延出した延出部５３１，５４１がそれぞれ形成されている。
【００２５】
大引上板部５１は、上板本体部５１１と、上板本体部５１１の長手方向に沿って延びた両縁側に形成された係合段部５１２，５１３とによって構成されている。
係合段部５１２は、大引側板部５３の上縁から上板本体部５１１に向かってデッキ材２の長手方向に沿って延び、上板本体部５１１に向かって上方に折曲して当該上板本体部５１１に連結されて、断面略「Ｌ」字状に形成されている。このように形成された係合段部５１２は、上板本体部５１１と協働してデッキ材２の幅方向に延びた係合溝５１２Ａを形成している。
係合段部５１３は、大引側板部５４の上縁から上板本体部５１１に向かってデッキ材２の長手方向に沿って伸び、上板本体部５１１に向かって上方に折曲して当該上板本体部５１１に連結されて、断面略「Ｌ」字状に形成されている。このように形成された係合段部５１３は、上板本体部５１１と協働してデッキ材２の幅方向に延びた係合溝５１３Ａを形成している。
【００２６】
図１、図２において、取付具６は、断面略「エ」字形状の金具によって構成され、水平方向に延びた固定片６１および係合片６２と、これらを一体的に連結する上下方向に延びた連結片６３とを備える。係合片６２の下方に位置する固定片６１は、デッキ材２の長手方向において互いに離間して一対設けられており、大引５の係合溝５１２Ａ，５１３Ａに係合されつつ、固定ねじを介して大引５に固定される。連結片６３には、デッキ側板部２５の延出片部２５３Ａ，２５３Ｂが固定ピンを介して固定される。係合片６２には、デッキ側板部２４，２５の係合凹部形成部２４２，２５２が係合され、目地塞ぎ材４の後述の被取付部４４，４５が取り付けられる。
【００２７】
複数の目地塞ぎ材４は、それぞれ同一形状に形成されている。目地塞ぎ材４は、エチレンプロピレンジエンゴムを発泡させて独立気泡が形成されたシート状の発泡体を打ち抜く打抜き加工によって形成されている。このように形成される目地塞ぎ材４は、その全体が発泡体によって構成される。なお、シート状の発泡体の厚さ寸法は、目地塞ぎ材４の厚さ寸法（Ｘ方向寸法）に設定されている。
図３から図６において、目地塞ぎ材４は、デッキ材２の長手方向の伸縮変形に応じて弾性変形可能である塞ぎ材本体部４１と、塞ぎ材本体部４１の幅方向（Ｙ方向）における両端部４２，４３にそれぞれ形成されている被取付部４４，４５と、塞ぎ材本体部４１から下方に突出した複数（本実施形態では五個）の突出部４６とを備えている。
【００２８】
図３において、塞ぎ材本体部４１の幅寸法は、デッキ材２の幅寸法に対応して設定されており、本実施形態ではデッキ材２の幅寸法と略同等である。図４、図６において、塞ぎ材本体部４１の厚さ寸法（Ｘ方向寸法）は、目地３の幅寸法（Ｘ方向寸法）よりも潰れ代４１Ａ，４１Ｂ分だけ大きい。本実施形態では、目地３の幅寸法は、所定温度（例えばデッキ材２の所定温度（２０度））下で５ｍｍ程度とされている。このため、目地３に配置される塞ぎ材本体部４１の厚さ寸法は７ｍｍ程度に設定され、塞ぎ材本体部４１の幅方向両端に位置する潰れ代４１Ａ，４１Ｂは１ｍｍ程度にそれぞれ設定される。つまり、目地塞ぎ材４の厚さ寸法は、目地３の幅よりも２ｍｍ程度厚く設定される。なお、目地塞ぎ材４の目地３への配置時には、潰れ代４１Ａ，４１Ｂが部分的に圧縮変形するのではなく、目地塞ぎ材４の周囲が均等に膨出しながらその全体が厚さ方向（Ｘ方向）に圧縮変形する。
【００２９】
図３において、目地塞ぎ材４の高さ寸法は、使用上限温度（例えば６０度）に設定された使用条件下におけるデッキ材２の最大伸長により狭められた目地３に設置される目地塞ぎ材４の最大圧縮時に、目地塞ぎ材４が周囲に膨出した状態でも、塞ぎ材本体部４１の上面４１１がデッキ材２の上面２Ａから突出しない程度に設定される。本実施形態では、目地塞ぎ材４の高さ寸法は、デッキ材２の高さ寸法よりも２ｍｍ程度短く設定される。従って、目地塞ぎ材４の目地３への配置の際、塞ぎ材本体部４１の上面４１１はデッキ材２の上面２Ａよりも２ｍｍ程度下方に配置される。
【００３０】
塞ぎ材本体部４１の端部４２はデッキ材２の張始め側に配置され、端部４３はデッキ材２の張終り側に配置される。塞ぎ材本体部４１の端部４２はデッキ側板部２４に隣接し、塞ぎ材本体部４１の端部４３はデッキ側板部２５に隣接する。塞ぎ材本体部４１の端部４２のうち被取付部４４よりも上側に位置する上側端部４２１は、端部４２のうち被取付部４４より下側に位置する下側端部４２２よりも幅方向外側に突出している。塞ぎ材本体部４１の端部４３のうち被取付部４５よりも下側に位置する下側端部４３２は、端部４３のうち被取付部４５よりも上側に位置する上側端部４３１よりも幅方向外側に突出している。
【００３１】
図３、図６において、被取付部４４，４５は、取付具６の係合片６２に対して凹状の係合スリットとしてそれぞれ構成されている。被取付部４４，４５は、係合片６２に対し、水平方向に可動にかつ上下方向に不動に係合される。被取付部４４，４５は、下側端部４２２，４３２の上方に形成されている。被取付部４４，４５は、塞ぎ材本体部４１と大引５との間に複数の中空部２７を互いに連通させる排水経路７が形成されるように塞ぎ材本体部４１が大引５から離間した状態で、取付具６に係合する。すなわち、塞ぎ材本体部４１の下面４１２の高さ位置が、中空部２７の下面よりも上方に位置するように、塞ぎ材本体部４１は大引５から離間している。
【００３２】
図３、図５において、複数の突出部４６は、塞ぎ材本体部４１の下面４１２に一体に形成されている。複数の突出部４６は、大引５に当接する位置まで下方に突出している。複数の突出部４６は、塞ぎ材本体部４１の下方に各中空部２７の開口端部の開放された下方領域を全て閉塞してしまわない位置に配置される。すなわち、複数の突出部４６は、複数の中空部２７のうち目地塞ぎ材４の幅方向（Ｙ方向）において両端に位置する一対の中空部２７の間に位置する５個の中空部２７のそれぞれの開口端部の幅方向の両端部から離間した中間位置のみに配置され、当該中間位置のみを閉塞し、中空部２７の開口端部の幅方向の両端側が開放された状態とする。複数の突出部４６は、それぞれ同一形状であり、目地塞ぎ材４の厚さ方向からみて四角形状であり、中空部２７の開口端部の幅方向の中央部に対向して配置される。目地塞ぎ材４の幅方向において突出部４６の幅寸法は中空部２７の幅寸法よりも小さい。従って、突出部４６が中空部２７の中間位置に配置されても、中空部２７は目地塞ぎ材４に完全に塞がれることなく、中空部２７の開口端部の幅方向の両端側が開放された状態となる。
複数の突出部４６のうち目地塞ぎ材４の幅方向中央に位置する突出部４６は、複数の中空部２７のうち目地塞ぎ材４の幅方向中央に位置する中空部２７の開口端部の中間位置に配置される。複数の突出部４６のうち前述した中央の突出部４６に対して目地塞ぎ材４の幅方向外側に離れた一対の突出部４６は、前述した中央の中空部２７に対して目地塞ぎ材４の幅方向外側に等距離ずつ離れた一対の中空部２７のそれぞれの開口端部の中間位置にそれぞれ配置される。複数の突出部４６のうち前述した一対の突出部４６に対して更に目地塞ぎ材４の幅方向外側に離れた外側の一対の突出部４６は、前述した一対の中空部２７に対して更に目地塞ぎ材４の幅方向外側に等距離ずつ離れた外側の一対の中空部２７のそれぞれの開口端部の中間位置にそれぞれ配置される。
【００３３】
前述したように、被取付部４４，４５および複数の突出部４６は、大引５と接して大引５と塞ぎ材本体部４１との間隔を維持して、デッキ材２の各中空部２７同士を連通可能にする間隔維持部を構成している。
この間隔維持部が設けられた塞ぎ材本体部４１は、互いに対向する二つのデッキ材２の対向端部２０，２１の上部を塞ぐ一方、これらのデッキ材２の各中空部２７の開口端部のうち塞ぎ材本体部４１の下方に位置する領域を開放する。
被取付部４４，４５が大引５に固定された取付具６にそれぞれ係合するとともに、複数の突出部４６が大引５に当接した際、塞ぎ材本体部４１は大引５から上下方向に離間して位置し、塞ぎ材本体部４１と大引５との間には排水経路７が形成される。
図３において、排水経路７は、デッキ材２の幅方向において複数の中空部２７を連通させる複数（本実施形態では六個）の連通路７１と、塞ぎ材本体部４１の端部４２，４３の下方にそれぞれ位置する一対の排水路７２とによって構成されている。
【００３４】
複数の連通路７１は、塞ぎ材本体部４１と突出部４６と大引上板部５１とによって区画される。複数の連通路７１は、塞ぎ材本体部４１の下方にそれぞれ位置するとともに、デッキ材２の幅方向において複数の中空部２７を跨いで配置されている。複数の連通路７１は、デッキ材２の幅方向で隣り合う中空部２７にそれぞれ連通している。このため、例えば中央の中空部２７に侵入した水があった場合、この中空部２７に連通する連通路７１からこれに隣り合う中空部２７および連通路７１を通じて一対の排水路７２まで水を流すことができる。
【００３５】
一対の排水路７２は、塞ぎ材本体部４１の端部４２，４３における端部下面４１２Ａと大引上板部５１とによってそれぞれ区画される。一対の排水路７２は、複数の連通路７１のうちデッキ材２の幅方向において最も外側に位置する連通路７１にそれぞれ連通している。端部４２，４３における端部下面４１２Ａと大引上板部５１との上下方向距離は、使用上限温度下におけるデッキ材２の最大伸長時に目地塞ぎ材４がその厚さ方向に最大限圧縮された場合でも３ｍｍ以上が確保される程度に設定され、本実施形態では６ｍｍ程度に設定されている。目地塞ぎ材４の幅方向両端に位置する連通路７１から排水路７２を流れる水は、取付具６と塞ぎ材本体部４１の端部４２，４３との隙間から排水される。
なお、端部４２，４３における端部下面４１２Ａは当該端部４２，４３の間の下面４１２よりも下方に位置している。また、端部下面４１２Ａは、下面４１２に向かって目地塞ぎ材４の幅方向に対して上方に傾斜した傾斜下面４１２Ｂを介して下面４１２に連続している。このため、端部４２,４３の高さ寸法を大きくでき、当該端部４２,４３に位置する被取付部４４,４５の取付具６に対する係合強度を高めることができる。また、端部下面４１２Ａが当該端部４２，４３の間の下面４１２よりも下方に位置することで、目地塞ぎ材４の幅方向端部に位置する中空部２７の上下方向の開口幅を狭めることができ、排水路７２から前記中空部２７への水の逆流を抑制できる。
【００３６】
［実施形態の施工方法］
以下、本実施形態の施工方法について説明する。
デッキ１は、複数のデッキ材２をその幅方向一方側の張始め側から大引５の上に一列ずつ同様に設置することによって形成する。以下、複数のデッキ材２により張始め側から三列目を設置する手順を説明する。
【００３７】
先ず、三列目における一枚目のデッキ材２を大引５の上に配置する。具体的には、図７に示す三列目における一枚目のデッキ材２の係合凹部形成部２４２を、二列目におけるデッキ材２の係合凹部形成部２５２に係合している取付具６の係合片６２に係合させつつ、デッキ材２を大引５の上に配置する。この際、三列目におけるデッキ材２と二列目におけるデッキ材２との間には、デッキ材２の長手方向に沿って延びた目地８が形成される。
目地８は、複数のデッキ材２の幅方向における熱伸縮量が少ないため、目地３に対して狭い幅に形成でき、例えば、デッキ材２の幅方向において３ｍｍ程度の幅をもっていれば、複数のデッキ材２同士がぶつかることなどの問題は生じない。また、目地８の上下方向において外部に連通しているため、仮に目地８に砂、砂利等の異物が入り込んでも、この異物は下方に抜け落ちるため、目詰まりなどの問題は生じない。従って、本実施形態では、目地８は、塞ぎ材等によって塞がれない。さらに、目地８は、幅方向において隣り合うデッキ材２の側板上部２４１，２５１および側板下部２４３，２５３が入り組んで配置されるため、デッキ１の上方から下方を目視することは、主に側板下部２５３に阻まれてできない。
【００３８】
つづいて、図８に示すように、三列目における一つ目の目地塞ぎ材４を三列目における一枚目のデッキ材２の端部２０に隣接配置する。具体的には、二列目におけるデッキ材２の端部２０に位置しかつ係合凹部形成部２４２に係合した取付具６の係合片６２に、目地塞ぎ材４の被取付部４４を係合させつつ、複数の突出部４６を大引上板部５１の上に配置する。このように間隔維持部を構成する被取付部４４および複数の突出部４６がそれぞれ係合、配置されることにより、目地塞ぎ材４は、三列目における一枚目のデッキ材２の端部２０に当接し、上面４１１は、これに隣接するデッキ材２の上面２Ａよりも下方に位置する。この際、塞ぎ材本体部４１は、三列目における一枚目のデッキ材２の端部２０のうち中空部２７の開口端部の上方に位置する上部にも当接し、中空部２７と目地塞ぎ材４の上側の外部とを遮断する。このようにして三列目における一枚目の目地塞ぎ材４を配置する。
【００３９】
次に、図９に示すように、三列目における二枚目以降のデッキ材２を大引５の上に配置し、かつ三列目における二つ目以降の目地塞ぎ材４を配置する。二枚目以降のデッキ材２は三列目における一枚目のデッキ材２と同様に設け、三列目における二つ目以降の目地塞ぎ材４は一つ目の目地塞ぎ材４と同様に配置するため、これらの説明を省略する。ただし、三列目における二枚目以降のデッキ材２は、このデッキ材２の端部２１に隣り合うデッキ材２との間に、所定温度に対応した規定幅寸法の目地３が形成される程度の隙間をもって配置する。この配置により、目地３に配置された目地塞ぎ材４は所定量圧縮された状態となる。三列目における一つ目の目地塞ぎ材４は、三列目における二枚目のデッキ材２の端部２１に当接し、上面４１１は、三列目における二枚目のデッキ材２の上面２Ａよりも下方に位置する。この際、三列目における一つ目の目地塞ぎ材４の塞ぎ材本体部４１は、三列目における二枚目のデッキ材２の端部２１のうち中空部２７の開口端部の上方に位置する上部にも当接し、中空部２７と目地塞ぎ材４の上側の外部とを遮断する。これらの当接、位置関係は、三列目における二つ目以降の目地塞ぎ材４と三列目における三枚目以降のデッキ材２との当接、位置関係においても同様である。
【００４０】
三列目において所定数のデッキ材２をその長手方向に一列に並べて配置した後、これらのデッキ材２の係合凹部形成部２５２に複数の取付具６の係合片６２を係合させつつ、これらの固定片６１を固定ねじにより大引５に固定する。この際、デッキ材２の端部２０，２１に位置する取付具６の係合片６２は目地塞ぎ材４の被取付部４５に係合させる。そして、これら複数の取付具６のうち所定位置にある取付具６の連結片６３を固定ピンによりデッキ側板部２５に固定する。つまり、三列目における一枚目（最初）のデッキ材２のデッキ側板部２５の端部２１側の部分に取付具６の連結片６３を固定し、三列目における二枚目以降のデッキ材２のデッキ側板部２５の長手方向における中央部分に取付具６の連結片６３をそれぞれ固定し、そして、三列目における最後のデッキ材２のデッキ側板部２５の端部２０側の部分に取付具６の連結片６３を固定する。このように、複数のデッキ材２を一列に並べてデッキ１の三列目を設置する。なお、一枚のデッキ材２に対しては、その一箇所が固定ピンにより取付具６に固定される。
【００４１】
デッキ１は、前述した三列目の設置と同様に、複数のデッキ材２を張始め側から一列ずつ並べて設置することによって形成される。なお、一列おきに位置する複数のデッキ材２のうちデッキ材２の長手方向における最端側に位置するデッキ材２は、その長さが他のデッキ材２の長さよりも短く形成されている。このため、デッキ１は千鳥張りによって構成される。
【００４２】
［実施形態による効果］
以上に説明した本実施形態によれば、以下の効果がある。
（１）目地３に弾性変形可能な目地塞ぎ材４を圧縮して配置することで、目地３を隙間なく塞ぐことができる。また、複数のデッキ材２の伸縮変形により目地３の幅が変化しても、目地塞ぎ材４全体が均等に圧縮・復元変形することで、目地３を隙間なく安定して塞ぎつづけることができる。
さらに、間隔維持部として被取付部４４，４５および突出部４６を設けたことにより、大引５と塞ぎ材本体部４１との間隔を維持し、デッキ材２の各中空部２７の開口端部の下方領域の全てを閉塞してしまうことなく、大引５と塞ぎ材本体部４１との間にデッキ材２の複数の中空部２７からの排水経路７を確保できる。
（２）塞ぎ材本体部４１を独立気泡を有する発泡体で形成し、前記独立気泡に水が浸入することがないため、低温時に水が凍結して塞ぎ材本体部４１の弾性が失われることを防止できる。また、水の凍結によって塞ぎ材本体部４１が膨張することもないため、この膨張により複数の中空部２７が閉塞されることを防止できる。
さらに、塞ぎ材本体部４１を構成する発泡体がエチレンプロピレンジエンゴムを発泡させたもので構成されるため、塞ぎ材本体部４１が適切な固さおよび弾性を発揮でき、型崩れを起こすことなく、目地３を隙間なく安定して塞ぐことができる。
（３）間隔維持部を構成する被取付部４４，４５の取付具６への係合により大引５と塞ぎ材本体部４１との間隔を維持でき、複数の中空部２７からの排水経路７を確保できる。特に、塞ぎ材本体部４１の端部４２，４３の高さ位置を規定できるので、端部下面４１２Ａと大引５との間に排水路７２を確実に形成できる。
また、被取付部４４，４５は、塞ぎ材本体部４１の下方ではなく、その幅方向の端部４２，４３に設けられるため、デッキ材２の各中空部２７の開口端部のうち塞ぎ材本体部４１の下方に位置する領域の全てを開放できる。
さらに、被取付部４４，４５が水平方向に延びた係合片６２に係合する水平方向に延びた係合スリットによって構成されるため、目地塞ぎ材４をデッキ材２に対し上下方向に不動な状態にでき、目地塞ぎ材４の目地３からの突出や脱落を防止できる。
加えて、デッキ１の施工の際、目地塞ぎ材４を水平方向に移動させることで、被取付部４４，４５の係合スリットを取付具６の係合片６２に簡単に係合させることができる。
なお、デッキ材２および目地塞ぎ材４は、取付具６を兼用しており、この取付具６にそれぞれ取り付けられる。このため、目地塞ぎ材４の被取付部４４，４５を取り付けるための取付具を、取付具６とは別個に増設する必要がなく、部品数の減少、施工時間の短縮を図ることができる。
（４）間隔維持部を構成する複数の突出部４６の大引５への当接により塞ぎ材本体部４１を支えることで、大引５と塞ぎ材本体部４１との間隔を維持できる。特に、塞ぎ材本体部４１の幅方向の中央部の高さ位置を規定できるので、下面４１２と大引５との間に連通路７１を確実に形成できる。
また、複数の突出部４６が複数の中空部２７の開口端部の幅方向の中間位置のみに配置されるため、複数の中空部２７の開口端部の幅方向の両端側を開放状態にでき、隣り合う中空部２７を隣り合う突出部４６間の空間で連通できる。従って、複数の中空部２７は、隣り合う突出部４６間の空間によって順次連通され、複数の中空部２７からの排水経路７を確保できる。
さらに、塞ぎ材本体部４１の自重や人等がデッキ１上を通る際のデッキ材２の撓みに起因して塞ぎ材本体部４１が撓められようとしても、複数の突出部４６により塞ぎ材本体部４１を支えてその所定形状を維持できる。
【００４３】
（５）複数の連通路７１により複数の中空部２７が連通されるため、複数の中空部２７のうちのいずれかが閉塞されることを防止できるので、排水不能な箇所をなくすことができる。また、目地３は、各デッキ材２の対向端部２０，２１と大引５とに囲まれているため、下方への排水は大引５に阻まれてほとんどできない。しかし、排水路７２が塞ぎ材本体部４１の端部４２，４３に位置するため、複数の中空部２７から複数の連通路７１を流れる水を端部４２，４３側から外部に排水できる。
（６）塞ぎ材本体部４１の上面４１１がデッキ材２の上面２Ａよりも下方に位置するため、目地塞ぎ材４がその厚さ方向に圧縮されて周囲に膨出した状態でも、塞ぎ材本体部４１の上面４１１がデッキ材２の上面２Ａから突出することを防止できる。従って、デッキ１上の歩行者が目地塞ぎ材４につまずくことがない。
【００４４】
（７）シートの打抜き加工により目地塞ぎ材４を形成するため、例えば押出し成形で形成する場合と比べて、製造コストの低廉化や製造時間の短縮化を図れる。
（８）塞ぎ材本体部４１の幅寸法がデッキ材２の幅寸法に対応して設定されるため、前記実施形態のように、複数の目地３がデッキ材２の幅方向に揃わずにデッキ材２の長手方向にずれている場合（千鳥張り）だけでなく、複数の目地３がデッキ材２の幅方向に揃っている場合にも、目地塞ぎ材４を共通して用いることができる。従って、目地塞ぎ材４の製造コストを低減できる。
【００４５】
［変形例］
なお、本発明は以上の実施形態で説明した構成のものに限定されず、本発明の目的を達成できる範囲での変形例は、本発明に含まれる。
例えば、前記実施形態では、塞ぎ材本体部４１は、エチレンプロピレンジエンゴムを発泡させた発泡体で形成されているが、これに限定されず、例えば、クロロプレンゴムを発泡させた発泡体によって形成されていてもよい。
また、前記実施形態では、目地塞ぎ材４の全体が独立気泡を有する発泡体によって形成されているが、これに限定されず、例えば、目地塞ぎ材４は、塞ぎ材本体部４１が独立気泡を有する発泡体によって形成され、間隔維持部としての突出部が塞ぎ材本体部４１とは別部材で形成されていてもよい。この突出部は、例えば、塞ぎ材本体部４１の下面４１２に取り付けられた棒状部材などによって具体化されてもよい。
【００４６】
前記実施形態では、塞ぎ材本体部４１の幅寸法は、デッキ材２の幅寸法と略同等であるが、これに限定されない。例えば、複数の目地３がデッキ材２の幅方向に揃って通し目地が形成されている場合、塞ぎ材本体部４１の幅寸法は、デッキ材２の幅寸法よりも長く設定されていてもよい。
【００４７】
前記実施形態では、間隔維持部は、被取付部４４,４５と複数の突出部４６とを備えて構成されているが、これに限定されない。例えば、デッキ材２および目地塞ぎ材４の幅寸法が短い場合には、突出部４６により塞ぎ材本体部４１を支える必要もなくなるため、間隔維持部は、複数の突出部４６の構成を省き、被取付部４４，４５だけを備えて構成されていてもよい。また、デッキ１の施工後にも目地塞ぎ材４の容易に着脱可能にする場合には、間隔維持部は、被取付部４４,４５の構成を省き、複数の突出部４６だけを備えて構成されていてもよい。
【００４８】
前記実施形態では、塞ぎ材本体部４１には、複数の中空部２７のすべての中間位置にそれぞれ配置される複数の突出部４６が形成されているが、これに限定されない。例えば、塞ぎ材本体部４１には、複数の中空部２７の少なくともいずれか一つの中間位置に配置される少なくとも一つの突出部４６が形成されていてもよい。この場合、塞ぎ材本体部４１には、デッキ材２の幅方向における略中央の中空部２７の中間位置に一つだけ配置される突出部４６が形成されていてもよい。また、デッキ材２の略中央から幅方向一方側と幅方向他方側とに等しい距離だけ離れて配置される少なくとも一対の突出部４６が形成されていてもよい。
【００４９】
前記実施形態では、突出部４６は、中空部２７の開口端部の幅方向の中央部に対向して配置され、この中央部の両端側の開放幅は互いに等しいが、これに限定されず、必ずしも前述した開放幅が互いに等しくなくてもよい。例えば、突出部４６は、中空部２７の開口端部の幅方向の一方端側に偏った位置に対向して配置され、この偏った位置よりも一方端側の開放幅が他方端側の開放幅よりも狭くなっていてもよい。
また、デッキ材２の幅方向の一方側に位置する突出部４６は、複数の中空部２７のうちデッキ材２の幅方向の一方側に位置する中空部２７に対して、デッキ材２の幅方向の中央側に偏って中空部２７の開口端部に対向して配置され、中空部２７の開口端部のデッキ材２の幅方向の一方側における開放幅が中空部２７の開口端部のデッキ材２の幅方向の中央側における開放幅よりも広くなっていてもよい。さらに、前述した構成とともに、デッキ材２の幅方向の他方側に位置する突出部４６は、複数の中空部２７のうちデッキ材２の幅方向の他方側に位置する中空部２７に対して、デッキ材２の幅方向の中央側に偏って中空部２７の開口端部に対向して配置され、中空部２７の開口端部のデッキ材２の幅方向の他方側における開放幅が中空部２７の開口端部のデッキ材２の幅方向の中央側における開放幅よりも広くなっていてもよい。このように構成される場合には、中空部２７の開口端部の排水路７２側の開放領域での排水性能が、当該中空部２７の開口端部のデッキ材２の幅方向の中央側における開放領域での排水性能を上回る状態を維持でき、連通路７１において水が滞留する可能性を減少できる。
【００５０】
前記実施形態では、被取付部４４，４５は係合スリットによって構成されているが、これに限定されず、取付具６の形状に対応した形状を有していればよい。
【００５１】
前記実施形態では、塞ぎ材本体部４１の下面４１２と隣り合う突出部４６との間の空間によって連通路７１が形成されているが、連通路７１を形成する構成はこれに限定されない。例えば、塞ぎ材本体部４１の下側に、塞ぎ材本体部４１の厚さ寸法（Ｘ方向の寸法）よりも小さい厚さ寸法の薄肉部を形成し、デッキ材２の端部と薄肉部との間に空間を形成して連通路７１としてもよい。このように、複数の中空部２７および仕切り壁部２６から離れた部分を目地塞ぎ材４に設ければ、この部分に区画される空間が連通路７１として構成される。
【００５２】
前記実施形態では、塞ぎ材本体部４１の厚さ方向で対向する両面は、突出部等がなく平坦に形成されているが、これに限定されない。例えば、塞ぎ材本体部４１の厚さ方向で対向する両面には、デッキ材２の長手方向に突出しているとともに、デッキ材２の中空部２７に挿入されて、目地塞ぎ材４を位置決めする少なくとも一つの突出片が形成されていてもよい。なお、この突出片は、中空部２７に挿入されてもこの中空部２７の一部に配置される大きさに形成される。従って、突出片の中空部２７への挿入時に中空部２７の開口全部が塞がれることがなく、排水経路７は確保される。
【００５３】
前記実施形態では、排水路７２は、端部４２，４３の双方に位置しているが、これに限定されず、端部４２，４３のいずれか一方だけに位置していてもよい。
【００５４】
前記実施形態では、取付具６は、断面略「エ」字形状に形成されているが、これに限定されず、係合片６２を有し、かつ大引５に固定される部分を有する形状であればよい。
【符号の説明】
【００５５】
１…デッキ、２…デッキ材、２２…デッキ上板部、２３…デッキ下板部、２４，２５…デッキ側板部、２６…仕切り壁部、２７…中空部、２４２，２５２…係合凹部形成部、３，８…目地、４…目地塞ぎ材、４１…塞ぎ材本体部、４４，４５…被取付部、４６…突出部、５…大引、６…取付具、６１…固定片、６２…係合片、６３…連結片、７…排水経路、７１…連通路、７２…排水路。
【図１】
2015140529.tif 000003
【図２】
2015140529.tif 000004
【図３】
2015140529.tif 000005
【図４】
2015140529.tif 000006
【図５】
2015140529.tif 000007
【図６】
2015140529.tif 000008
【図７】
2015140529.tif 000009
【図８】
2015140529.tif 000010
【図９】
2015140529.tif 000011